(57)【要約】【課題】従来、ユーザが欲しい商品を適切に入手できるとともに、消費を促進できる仕組みを提供できなかった。【解決手段】抽選対象商品識別子を有する１以上の抽選対象商品情報を格納し得る抽選対象商品情報格納部と、ユーザ識別子と抽選対象商品識別子とを有する１以上のユーザ登録商品情報を格納し得るユーザ登録商品情報格納部と、抽選対象の商品の登録指示を受信する登録指示受信部と、登録指示が有する抽選対象商品識別子をユーザ登録商品情報格納部に蓄積する抽選対象商品登録部と、購入情報を受け付ける購入情報受付部と、１購入情報が有する購入金額に関する情報が、抽選条件に合致するか否かを判断する判断部と、抽選条件に合致すると判断した場合に、抽選対象商品識別子で識別される商品の抽選のための処理を行う抽選処理部とを具備するサーバ装置により、ユーザが欲しい商品を適切に入手できるとともに、消費を促進できる仕組みを提供できる。【選択図】図１
2015191386.tif 000002
【特許請求の範囲】
【請求項１】
抽選対象の商品に関する情報であり、抽選対象の商品を識別する抽選対象商品識別子を有する１以上の抽選対象商品情報を格納し得る抽選対象商品情報格納部と、
ユーザ識別子と、当該ユーザが選択した抽選対象の商品の抽選対象商品識別子とを有する１以上のユーザ登録商品情報を格納し得るユーザ登録商品情報格納部と、
抽選対象の商品を登録する指示であり、抽選対象商品識別子とユーザ識別子とを有する指示である登録指示を端末装置から受信する登録指示受信部と、
前記登録指示が有するユーザ識別子に対応付けて、前記登録指示が有する抽選対象商品識別子を前記ユーザ登録商品情報格納部に蓄積する抽選対象商品登録部と、
商品の購入に関する情報であり、購入金額とユーザ識別子とを有する１以上の購入情報を受け付ける購入情報受付部と、
前記１以上の購入情報が有する１以上の購入金額に関する情報であり、一のユーザ識別子と対になる１以上の購入金額に関する情報が、前記一のユーザ識別子と対になる抽選対象商品識別子で識別される商品の抽選のための条件である抽選条件に合致するか否かを判断する判断部と、
前記判断部が前記抽選条件に合致すると判断した場合に、前記抽選対象商品識別子で識別される商品の抽選のための処理を行う抽選処理部とを具備するサーバ装置。
【請求項２】
前記抽選対象商品識別子で識別される商品がユーザにより選択された旨の情報である選択情報を店舗装置に送信する選択情報送信部と、
前記選択情報の送信に応じて、前記抽選対象商品識別子で識別される商品の販売促進に関する情報である販売促進情報を、前記店舗装置から受信する販売促進情報受信部と、
前記販売促進情報を、前記抽選対象商品識別子で識別される商品を選択したユーザに対応する端末装置に送信する販売促進情報送信部とをさらに具備する請求項１記載のサーバ装置。
【請求項３】
予め決められた条件を満たす１以上の店舗装置を選択する店舗選択部をさらに具備し、
前記選択情報送信部は、
前記店舗選択部が選択した１以上の店舗装置に、前記選択情報を送信する請求項２記載のサーバ装置。
【請求項４】
前記店舗選択部は、
前記一のユーザ識別子を有する１以上の購入情報に関する条件を用いて、当該条件を満たす１以上の店舗装置を選択する請求項３記載のサーバ装置。
【請求項５】
前記店舗選択部は、
前記一のユーザ識別子と対になる抽選対象商品識別子で識別される商品に関する商品情報に関する条件を用いて、当該条件を満たす１以上の店舗装置を選択する請求項３または請求項４記載のサーバ装置。
【請求項６】
前記購入情報は、
商品を購入した店舗に関する店舗情報を有し、
購入金額を用いて取得されるポイントとユーザ識別子とを有する１以上のユーザ情報を格納し得るユーザ情報格納部と、
前記購入情報受付部が受け付けた購入情報が有する購入金額と店舗情報とを用いて、ポイントを取得するポイント取得部と、
前記ポイント取得部が取得したポイントを、前記購入情報が有するユーザ識別子と対になるポイントに加算し、前記ユーザ情報格納部に蓄積するポイント蓄積部とをさらに具備し、
前記判断部は、
前記一のユーザ識別子と対になるポイントが、前記一のユーザ識別子と対になる抽選対象商品識別子で識別される商品の抽選のための条件に合致するか否かを判断する請求項２から請求項５いずれか一項に記載のサーバ装置。
【請求項７】
抽選の実施の指示である抽選指示を端末装置から受信する抽選指示受信部をさらに具備し、
前記抽選処理部は、
前記抽選指示の受信に応じて、前記抽選指示に対応する抽選対象商品識別子で識別される商品の抽選を行い、
前記抽選の結果が当選である場合、新たな抽選対象商品を選択するための画面である選択画面を、前記端末装置に送信する選択画面送信部をさらに具備する請求項１から請求項６いずれか一項に記載のサーバ装置。
【請求項８】
前記ユーザ登録商品情報は、
抽選に必要な利用金額である必要金額と、商品の抽選のための処理を行った回数である抽選回数または商品の抽選のための処理の結果が落選であった回数である落選回数とを有し、
前記抽選処理部は、
商品の抽選のための処理を行った際に前記抽選回数に１を加え、または商品の抽選のための処理を行った際であり、落選であった場合に前記落選回数に１を加え、
前記抽選回数または前記落選回数が予め決められた条件を満たすほど多い場合、前記必要金額を減額する処理を行う請求項１から請求項７いずれか一項に記載のサーバ装置。
【請求項９】
前記ユーザ登録商品情報は、
商品の抽選のための処理を行った回数である抽選回数、または商品の抽選のための処理の結果が落選であった回数である落選回数を有し、
前記抽選回数または前記落選回数が予め決められた条件を満たすほど多い場合、前記抽選対象商品識別子で識別される商品の購入の指示であり、通常の金額より低い金額で購入できる指示である抽選商品低額購入指示を、前記端末装置から受信する購入指示受信部と、
前記購入指示受信部が前記抽選商品低額購入指示を受信した場合に、当該抽選商品低額購入指示に対応する処理を行う購入処理部とをさらに具備する請求項１から請求項８いずれか一項に記載のサーバ装置。
【請求項１０】
前記抽選対象商品情報は、
抽選可能な期間に関する情報である期間情報を有し、
前記抽選処理部は、
前記抽選対象商品識別子と対になる期間情報が示す抽選可能な期間から、現在時点が外れている場合、前記抽選対象商品識別子で識別される商品の抽選のための処理を行わない請求項１から請求項９いずれか一項に記載のサーバ装置。
【請求項１１】
１以上の購入情報を格納し得る購入情報格納部と、
前記購入情報受付部が受け付けた１以上の購入情報を、前記購入情報格納部に蓄積する購入情報蓄積部とをさらに具備する請求項１から請求項１０いずれか一項に記載のサーバ装置。
【請求項１２】
記録媒体は、
抽選対象の商品に関する情報であり、抽選対象の商品を識別する抽選対象商品識別子を有する１以上の抽選対象商品情報を格納し得る抽選対象商品情報格納部と、
ユーザ識別子と、当該ユーザが選択した抽選対象の商品の抽選対象商品識別子とを有する１以上のユーザ登録商品情報を格納し得るユーザ登録商品情報格納部とを具備し、
登録指示受信部、抽選対象商品登録部、購入情報受付部、判断部、および抽選処理部により実現される販売促進方法であって、
前記登録指示受信部が、抽選対象の商品を登録する指示であり、抽選対象商品識別子とユーザ識別子とを有する指示である登録指示を端末装置から受信する登録指示受信ステップと、
前記抽選対象商品登録部が、前記登録指示が有するユーザ識別子に対応付けて、前記登録指示が有する抽選対象商品識別子を前記ユーザ登録商品情報格納部に蓄積する抽選対象商品登録ステップと、
前記購入情報受付部が、商品の購入に関する情報であり、購入金額とユーザ識別子とを有する１以上の購入情報を受け付ける購入情報受付ステップと、
前記判断部が、前記１以上の購入情報が有する１以上の購入金額に関する情報であり、一のユーザ識別子と対になる１以上の購入金額に関する情報が、前記一のユーザ識別子と対になる抽選対象商品識別子で識別される商品の抽選のための条件である抽選条件に合致するか否かを判断する判断ステップと、
前記抽選処理部が、前記判断ステップで前記抽選条件に合致すると判断された場合に、前記抽選対象商品識別子で識別される商品の抽選のための処理を行う抽選処理ステップとを具備する販売促進方法。
【発明の詳細な説明】
【技術分野】
【０００１】
本発明は、商品の販売を促進する仕組みを有する販促システム、またはサーバ装置等に関するものである。
【背景技術】
【０００２】
従来、商業施設に設けられたディスプレイ装置を備えた種々の電子機器を介して、携帯電話を所持する顧客に対してポイントを付与するようにしたポイント管理システムがあった（例えば、特許文献１参照）。本システムにおいて、蓄積したポイントが一定の条件を満足することになったときに、抽選参加権を付与することができる。
【０００３】
つまり、従来技術においては、商品の販売を促進するために、ポイントを付与し、当該ポイントが一定の条件を満足することになったときに、抽選参加権を付与することができ、本技術は遊技機等に利用できる。
【先行技術文献】
【特許文献】
【０００４】
【特許文献１】特開２０１１−１０３１０４号公報
【発明の概要】
【発明が解決しようとする課題】
【０００５】
しかしながら、従来技術においては、ユーザが欲しい商品を適切に入手できるとともに、消費を促進できる仕組みを提供できなかった。
【課題を解決するための手段】
【０００６】
本第一の発明のサーバ装置は、抽選対象の商品に関する情報であり、抽選対象の商品を識別する抽選対象商品識別子を有する１以上の抽選対象商品情報を格納し得る抽選対象商品情報格納部と、ユーザ識別子と、ユーザが選択した抽選対象の商品の抽選対象商品識別子とを有する１以上のユーザ登録商品情報を格納し得るユーザ登録商品情報格納部と、抽選対象の商品を登録する指示であり、抽選対象商品識別子とユーザ識別子とを有する指示である登録指示を端末装置から受信する登録指示受信部と、登録指示が有するユーザ識別子に対応付けて、登録指示が有する抽選対象商品識別子をユーザ登録商品情報格納部に蓄積する抽選対象商品登録部と、商品の購入に関する情報であり、購入金額とユーザ識別子とを有する１以上の購入情報を受け付ける購入情報受付部と、１以上の購入情報が有する１以上の購入金額に関する情報であり、一のユーザ識別子と対になる１以上の購入金額に関する情報が、一のユーザ識別子と対になる抽選対象商品識別子で識別される商品の抽選のための条件である抽選条件に合致するか否かを判断する判断部と、判断部が抽選条件に合致すると判断した場合に、抽選対象商品識別子で識別される商品の抽選のための処理を行う抽選処理部とを具備するサーバ装置である。
【０００７】
かかる構成により、ユーザが欲しい商品を適切に入手できるとともに、消費を促進できる仕組みを提供できる。
【０００８】
また、本第二の発明のサーバ装置は、第一の発明に対して、抽選対象商品識別子で識別される商品がユーザにより選択された旨の情報である選択情報を店舗装置に送信する選択情報送信部と、選択情報の送信に応じて、抽選対象商品識別子で識別される商品の販売促進に関する情報である販売促進情報を、店舗装置から受信する販売促進情報受信部と、販売促進情報を、抽選対象商品識別子で識別される商品を選択したユーザに対応する端末装置に送信する販売促進情報送信部とをさらに具備するサーバ装置である。
【０００９】
かかる構成により、ユーザが欲しい商品を適切に入手できるとともに、消費を促進できる仕組みを提供できる。
【００１０】
また、本第三の発明のサーバ装置は、第二の発明に対して、予め決められた条件を満たす１以上の店舗装置を選択する店舗選択部をさらに具備し、選択情報送信部は、店舗選択部が選択した１以上の店舗装置に、選択情報を送信するサーバ装置である。
【００１１】
かかる構成により、ユーザが欲しい商品を適切に入手できるとともに、消費をより促進できる仕組みを提供できる。
【００１２】
また、本第四の発明のサーバ装置は、第三の発明に対して、店舗選択部は、一のユーザ識別子を有する１以上の購入情報に関する条件を用いて、条件を満たす１以上の店舗装置を選択するサーバ装置である。
【００１３】
かかる構成により、ユーザが欲しい商品を適切に入手できるとともに、消費をより促進できる仕組みを提供できる。
【００１４】
また、本第五の発明のサーバ装置は、第三または第四の発明に対して、店舗選択部は、一のユーザ識別子と対になる抽選対象商品識別子で識別される商品に関する商品情報に関する条件を用いて、条件を満たす１以上の店舗装置を選択するサーバ装置である。
【００１５】
かかる構成により、ユーザが欲しい商品を適切に入手できるとともに、消費をより促進できる仕組みを提供できる。
【００１６】
また、本第六の発明のサーバ装置は、第二から第五いずれかの発明に対して、購入情報は、商品を購入した店舗に関する店舗情報を有し、購入金額を用いて取得されるポイントとユーザ識別子とを有する１以上のユーザ情報を格納し得るユーザ情報格納部と、購入情報受付部が受け付けた購入情報が有する購入金額と店舗情報とを用いて、ポイントを取得するポイント取得部と、ポイント取得部が取得したポイントを、購入情報が有するユーザ識別子と対になるポイントに加算し、ユーザ情報格納部に蓄積するポイント蓄積部とをさらに具備し、判断部は、一のユーザ識別子と対になるポイントが、一のユーザ識別子と対になる抽選対象商品識別子で識別される商品の抽選のための条件である抽選条件に合致するか否かを判断するサーバ装置である。
【００１７】
かかる構成により、ユーザが欲しい商品を適切に入手できるとともに、消費をより促進できる仕組みを提供できる。
【００１８】
また、本第七の発明のサーバ装置は、第一から第六いずれかの発明に対して、抽選の実施の指示である抽選指示を端末装置から受信する抽選指示受信部をさらに具備し、抽選処理部は、抽選指示の受信に応じて、抽選指示に対応する抽選対象商品識別子で識別される商品の抽選を行い、抽選の結果が当選である場合、新たな抽選対象商品を選択するための画面である選択画面を、端末装置に送信する選択画面送信部をさらに具備するサーバ装置である。
【００１９】
かかる構成により、ユーザが欲しい商品を適切に入手できるとともに、消費をより促進できる仕組みを提供できる。
【００２０】
また、本第八の発明のサーバ装置は、第一から第七いずれかの発明に対して、ユーザ登録商品情報は、抽選に必要な利用金額である必要金額と、商品の抽選のための処理を行った回数である抽選回数または商品の抽選のための処理の結果が落選であった回数である落選回数とを有し、抽選処理部は、商品の抽選のための処理を行った際に抽選回数に１を加え、または商品の抽選のための処理を行った際であり、落選であった場合に落選回数に１を加え、抽選回数または落選回数が予め決められた条件を満たすほど多い場合、必要金額を減額する処理を行うサーバ装置である。
【００２１】
かかる構成により、ユーザが欲しい商品を適切に入手できるとともに、消費をより促進できる仕組みを提供できる。
【００２２】
また、本第九の発明のサーバ装置は、第一から第八いずれかの発明に対して、ユーザ登録商品情報は、商品の抽選のための処理を行った回数である抽選回数、または商品の抽選のための処理の結果が落選であった回数である落選回数を有し、抽選回数または落選回数が予め決められた条件を満たすほど多い場合、抽選対象商品識別子で識別される商品の購入の指示であり、通常の金額より低い金額で購入できる指示である抽選商品低額購入指示を、端末装置から受信する購入指示受信部と、購入指示受信部が抽選商品低額購入指示を受信した場合に、抽選商品低額購入指示に対応する処理を行う購入処理部とをさらに具備するサーバ装置である。
【００２３】
かかる構成により、ユーザが欲しい商品を適切に入手できるとともに、消費をより促進できる仕組みを提供できる。
【００２４】
また、本第十の発明のサーバ装置は、第一から第九いずれかの発明に対して、抽選対象商品情報は、抽選可能な期間に関する情報である期間情報を有し、抽選処理部は、抽選対象商品識別子と対になる期間情報が示す抽選可能な期間から、現在時点が外れている場合、抽選対象商品識別子で識別される商品の抽選のための処理を行わないサーバ装置である。
【００２５】
かかる構成により、適切な時期に抽選を実施させることができる。
【００２６】
また、本第十一の発明のサーバ装置は、第一から第十いずれかの発明に対して、１以上の購入情報を格納し得る購入情報格納部と、購入情報受付部が受け付けた１以上の購入情報を、購入情報格納部に蓄積する購入情報蓄積部とをさらに具備するサーバ装置である。
【００２７】
かかる構成により、ユーザが欲しい商品を適切に入手できるとともに、消費を促進できる仕組みを提供できる。
【００２８】
また、本第十二の発明の店舗装置は、第一から第十いずれかの発明に対して、サーバ装置のユーザ登録商品情報は、抽選可能な回数である回数情報、または抽選を行うまでに必要なポイントまたは金額に関する必要ポイント情報である抽選関連情報を有し、抽選処理部は、判断部における判断の結果、または／および抽選処理部における商品の抽選のための処理の結果を用いて、抽選関連情報を取得し、ユーザ登録商品情報格納部に蓄積し、サーバ装置は、購入情報受付部が受け付けた購入情報に含まれるカード識別子と対になる抽選関連情報を、ユーザ登録商品情報格納部から取得する抽選関連情報取得部と、抽選関連情報取得部が取得した抽選関連情報を送信する抽選関連情報送信部とをさらに具備し、サーバ装置と通信を行う店舗装置であって、クレジットカードを識別するカード識別子と購入金額を有する購入情報を受け付ける店舗受付部と、サーバ装置に、購入情報を送信する店舗送信部と、サーバ装置から、購入情報が有するカード識別子を用いて取得された抽選関連情報を受信する店舗受信部と、抽選関連情報を出力する店舗出力部とを具備する店舗装置である。
【００２９】
かかる構成により、消費をより促進できる仕組みを提供できる。
【００３０】
また、本第十三の発明の店舗装置は、第十二の発明に対して、店舗出力部は、店舗受付部が購入情報を受け付けたことに応じて、抽選関連情報が印字されたレシートを印刷する店舗装置である。
【００３１】
かかる構成により、消費をより促進する仕組みを提供できる。
【発明の効果】
【００３２】
本発明によるサーバ装置によれば、ユーザが欲しい商品を適切に入手できるとともに、消費を促進できる仕組みを提供できる。
【図面の簡単な説明】
【００３３】
【図１】実施の形態１における販促システムの概念図を示す図
【図２】同販促システムのブロック図
【図３】同サーバ装置１の動作について説明するフローチャート
【図４】同端末装置２の動作について説明するフローチャート
【図５】同店舗装置３の動作について説明するフローチャート
【図６】同ユーザ情報管理表を示す図
【図７】同抽選対象商品情報管理表を示す図
【図８】同購入情報管理表を示す図
【図９】同ユーザ登録商品情報管理表を示す図
【図１０】同選択画面の出力例を示す図
【図１１】同レシートの例を示す図
【図１２】同レシートの例を示す図
【図１３】同コンピュータシステムの概観図
【図１４】同コンピュータシステムのブロック図
【発明を実施するための形態】
【００３４】
以下、サーバ装置等の実施形態について図面を参照して説明する。なお、実施の形態において同じ符号を付した構成要素は同様の動作を行うので、再度の説明を省略する場合がある。
【００３５】
（実施の形態１）
本実施の形態において、商品の購入情報を受け付け、購入情報を用いて、ポイント加算し、ポイントが条件を満たせば、事前にユーザが選択した抽選対象商品に対して抽選が可能となる販促システムについて説明する。なお、ここで、商品とは、購入対象であり、サービスも含み、広く解する。つまり、購入対象は、物品だけではなく、サービスも含む、と考える。
【００３６】
また、本実施の形態において、ユーザが抽選対象商品を選択した旨を含む情報である選択情報を、店舗に通知する販促システムについて説明する。そして、販促システムにおいて、店舗への通知に応じて、店舗からの販促情報を受け付け、ユーザに提示する販促システムについて説明する。
【００３７】
また、本実施の形態において、予め決められた条件を満たす店舗を選択し、当該店舗に選択情報を通知する販促システムについて説明する。なお、予め決められた条件は、例えば、ユーザの購入履歴を用いた条件でも良いし、抽選対象商品の情報を用いた条件等でも良い。ユーザの購入履歴を用いた条件とは、例えば、ユーザが利用したことがある店舗を選択すること、ユーザが予め決められた条件を満たすほど良く利用している店舗を選択すること等である。
【００３８】
また、本実施の形態において、店舗の情報に応じて、ポイントの付与方法が異なる販促システムについて説明する。店舗の情報とは、例えば、店舗の属性や種類等である。店舗の属性とは、店舗が一の組織に加盟しているか否かを示す情報である。
【００３９】
また、本実施の形態において、抽選に当選した場合、ユーザの端末装置は、新たな抽選対象商品選択画面に遷移する販促システムについて説明する。
【００４０】
また、本実施の形態において、抽選実施回数に応じて、１口あたりの必要金額を減額したり、落選時に、抽選実施回数に応じて、抽選対象商品を安く購入できるようにしたりする販促システムについて説明する。
【００４１】
また、本実施の形態において、抽選対象商品と対応付けて抽選可能期間を保持しており、抽選可能期間を超える場合、抽選できない販促システムについて説明する。
【００４２】
また、本実施の形態において、抽選可能回数や、抽選までの必要金額等の抽選関連情報をレシート等に出力する店舗装置を含む販促システムについて説明する。
【００４３】
図１は、本実施の形態における販促システムの概念図である。販促システムは、サーバ装置１、１または２以上の端末装置２、１または２以上の店舗装置３を備える。端末装置２は、ユーザが使用する装置であり、例えば、いわゆるパソコン、スマートフォン、携帯端末、携帯電話等である。店舗装置３は、商品を販売する店舗の人が使用する装置であり、いわゆるパソコン、スマートフォン、携帯端末、携帯電話、クレジットカードリーダー、ＩＣカードリーダー等である。
【００４４】
図２は、本実施の形態における販促システムのブロック図である。
【００４５】
販促システムを構成するサーバ装置１は、格納部１１、受信部１２、処理部１３、送信部１４を備える。
【００４６】
サーバ装置１を構成する格納部１１は、ユーザ情報格納部１１１、抽選対象商品情報格納部１１２、購入情報格納部１１３、ユーザ登録商品情報格納部１１４を備える。
【００４７】
受信部１２は、登録指示受信部１２１、購入情報受付部１２２、販売促進情報受信部１２３、抽選指示受信部１２４、購入指示受信部１２５を備える。
【００４８】
処理部１３は、購入情報蓄積部１３１、抽選対象商品登録部１３２、判断部１３３、抽選処理部１３４、店舗選択部１３５、ポイント取得部１３６、ポイント蓄積部１３７、購入処理部１３８、抽選関連情報取得部１３９を備える。
【００４９】
送信部１４は、選択情報送信部１４１、販売促進情報送信部１４２、選択画面送信部１４３、抽選関連情報送信部１４４を備える。
【００５０】
端末装置２は、端末格納部２０、端末受付部２１、端末処理部２２、端末送信部２３、端末受信部２４、端末出力部２５を備える。
【００５１】
店舗装置３は、店舗格納部３０、店舗受付部３１、店舗処理部３２、店舗送信部３３、店舗受信部３４、店舗出力部３５を備える。
【００５２】
サーバ装置１を構成する格納部１１は、種々の情報を格納し得る。種々の情報とは、例えば、後述するユーザ情報、抽選対象商品情報、購入情報、ユーザ登録商品情報等である。
【００５３】
ユーザ情報格納部１１１は、１以上のユーザ情報を格納し得る。ユーザ情報は、ユーザに関する情報であり、ユーザ識別子とポイントとを有する。ポイントは、通常、商品の購入金額を用いて取得されるものであり、抽選に利用される。ユーザ情報は、氏名、性別、年齢、住所等の情報を有しても良い。なお、ポイントは、商品の購入金額の総計等でも良い。
【００５４】
抽選対象商品情報格納部１１２は、１以上の抽選対象商品情報を格納し得る。抽選対象商品情報は、抽選対象の商品に関する情報である。抽選対象商品情報は、抽選対象の商品を識別する抽選対象商品識別子を有する。抽選対象商品情報は、例えば、商品の抽選のための条件である抽選条件、店舗装置３と通信するための店舗通知先情報を有する。また、抽選対象商品情報は、例えば、抽選可能な期間に関する情報である期間情報を有する。また、抽選対象商品情報は、通常、抽選対象の商品の商品情報を有する。商品情報は、例えば、商品名、商品の種類、価格、販売店舗名、商品の属性値、商品の画像等を有する。
【００５５】
購入情報格納部１１３は、１以上の購入情報を格納し得る。購入情報は、通常、商品を購入したユーザのユーザ識別子、商品識別子、購入金額を有する。なお、ユーザ識別子は、例えば、クレジットカードを識別するカード識別子でも良い。また、購入情報は、例えば、商品を購入した店舗に関する店舗情報を有する。
【００５６】
ユーザ登録商品情報格納部１１４は、１以上のユーザ登録商品情報を格納し得る。ユーザ登録商品情報は、ユーザが申し込んだ抽選対象の商品に関する情報である。ユーザ登録商品情報は、通常、ユーザ識別子と、抽選対象の商品の抽選対象商品識別子とを有する。この抽選対象の商品は、ユーザが選択した商品である。ユーザ登録商品情報は、抽選に必要な利用金額である必要金額を有することは好適である。また、ユーザ登録商品情報は、商品の抽選のための処理を行った回数である抽選回数、または商品の抽選のための処理の結果が落選であった回数である落選回数を有することは好適である。また、ユーザ登録商品情報は、抽選可能な回数である抽選可能回数を有することは好適である。
【００５７】
受信部１２は、端末装置２または店舗装置３等から情報や指示等を受信する。情報や指示等は、例えば、後述する登録指示、購入情報、販売促進情報、購入指示である。
【００５８】
登録指示受信部１２１は、登録指示を端末装置２から受信する。登録指示とは、抽選対象の商品を登録する指示である。登録指示は、通常、抽選対象商品識別子とユーザ識別子とを有する。
【００５９】
購入情報受付部１２２は、１以上の購入情報を受け付ける。購入情報受付部１２２は、例えば、端末装置２または店舗装置３から購入情報を受信する。また、購入情報受付部１２２は、図示しない装置（例えば、クレジットカード会社のサーバ装置、ＥＣサイトのサーバ装置等）から購入情報を受信しても良い。また、購入情報受付部１２２は、人手により入力された購入情報を受け付けても良い。ここで、購入情報とは、商品の購入に関する情報であり、通常、購入金額とユーザ識別子とを有する。また、購入情報は、例えば、商品に関する商品情報、店舗識別子等も有しても良い。さらに、購入情報は、クレジットカードを用いた購入に関する情報であることは好適である。また、購入情報は、クレジットカードを識別するカード識別子を有することは好適である。
【００６０】
販売促進情報受信部１２３は、販売促進情報を店舗装置３から受信する。販売促進情報受信部１２３は、通常、選択情報の送信に応じて、販売促進情報を店舗装置３から受信する。販売促進情報とは、商品の販売促進に関する情報である。販売促進情報は、通常、抽選対象商品識別子で識別される商品の販売促進に関する情報である。
【００６１】
抽選指示受信部１２４は、抽選の実施の指示である抽選指示を端末装置２から受信する。ここで、抽選とは、くじと言っても良い。また、抽選とは、商品に関する特典を与えられるか否かの選択である、と言っても良い。ここで、商品に関する特典とは、商品の無償譲渡、商品の割り引き購入の権利等である。抽選の結果、当選と落選がある。また、抽選指示は、通常、ユーザ識別子を有する。
【００６２】
購入指示受信部１２５は、抽選回数または落選回数が予め決められた条件を満たすほど多い場合、抽選商品低額購入指示を、端末装置２から受信する。抽選商品低額購入指示とは、抽選対象商品識別子で識別される商品の購入の指示であり、通常の金額より低い金額で購入できる指示である。抽選商品低額購入指示は、通常、抽選回数または落選回数が予め決められた条件を満たすほど多い場合に、端末装置２に入力され得る。なお、抽選商品低額購入指示は、通常の購入指示と同じでも良い。抽選商品低額購入指示は、結果として、通常の金額より低い金額で購入できる場合の、商品購入の指示である。
【００６３】
処理部１３は、各種の処理を行う。各種の処理とは、例えば、後述する購入情報蓄積部１３１等の処理である。
【００６４】
処理部１３を構成する購入情報蓄積部１３１は、購入情報受付部１２２が受け付けた１以上の購入情報を、購入情報格納部１１３に蓄積する。
【００６５】
抽選対象商品登録部１３２は、登録指示が有するユーザ識別子に対応付けて、登録指示が有する抽選対象商品識別子をユーザ登録商品情報格納部１１４に蓄積する。
【００６６】
判断部１３３は、１以上の購入情報が有する１以上の購入金額に関する情報であり、一のユーザ識別子と対になる１以上の購入金額に関する情報が、一のユーザ識別子と対になる抽選対象商品識別子で識別される商品の抽選のための条件である抽選条件に合致するか否かを判断する。また、購入金額に関する情報とは、購入金額でも良いし、購入金額から取得され得るポイント等でも良い。また、購入金額に関する情報とは、その抽選対象商品を提供する店舗や販売促進する店舗での購入金額等でもよい。さらに、抽選条件は、通常、抽選対象商品識別子と対に管理されている。
【００６７】
判断部１３３は、一のユーザ識別子と対になるポイントが、一のユーザ識別子と対になる抽選対象商品識別子で識別される商品の抽選のための条件である抽選条件に合致するか否かを判断する。
【００６８】
抽選処理部１３４は、判断部１３３が抽選条件に合致すると判断した場合に、抽選対象商品識別子で識別される商品の抽選のための処理を行う。ここで、抽選のための処理とは、抽選でも良いし、抽選のための情報の出力でも良いし、抽選を行う指示の送信や、抽選を行う装置を起動し、抽選させる処理でも良いし、抽選可能回数を増加させる処理等でも良い。なお、抽選は、装置により行っても良いし、人手により行っても良い。なお、抽選とは、当選、落選のうちのいずれかの結果を得ることであり、その方法は問わない。抽選とは、例えば、当選の確率が「１／Ｎ（Ｎは２以上の自然数）」の場合、乱数を発生させて、Ｎで割り切れる数の場合は「当選」とし、Ｎで割り切れない数の場合は「落選」としても良い。また、当選とは、ユーザが商品をもらうことができたり、商品を格安で購入できたり等、商品に関する特典を得ることができる状態を言う。
【００６９】
抽選処理部１３４は、抽選指示の受信に応じて、抽選指示に対応する抽選対象商品識別子で識別される商品の抽選を行うことは好適である。
【００７０】
抽選処理部１３４は、商品の抽選のための処理を行った際に抽選回数に１を加え、または商品の抽選のための処理を行った際であり、落選であった場合に落選回数に１を加えることは好適である。
【００７１】
抽選処理部１３４は、抽選対象商品識別子と対になる期間情報が示す抽選可能な期間から、現在時点が外れている場合、抽選対象商品識別子で識別される商品の抽選のための処理を行わないことは好適である。
【００７２】
店舗選択部１３５は、予め決められた条件を満たす１以上の店舗装置３を選択する。予め決められた条件とは、例えば、購入情報に関する条件、商品情報に関する条件等である。
【００７３】
店舗選択部１３５は、例えば、一のユーザ識別子を有する１以上の購入情報に関する条件を用いて、条件を満たす１以上の店舗装置３を選択する。店舗選択部１３５は、例えば、一のユーザ識別子で識別されるユーザが閾値より頻度高く購入している店舗の店舗識別子を、一のユーザ識別子を有する１以上の購入情報から取得する。また、店舗選択部１３５は、例えば、一のユーザ識別子で識別されるユーザが閾値より高額を支払っている店舗の店舗識別子を、一のユーザ識別子を有する１以上の購入情報から取得する。
【００７４】
店舗選択部１３５は、例えば、一のユーザ識別子と対になる抽選対象商品識別子で識別される商品に関する商品情報に関する条件を用いて、条件を満たす１以上の店舗装置３を選択する。店舗選択部１３５は、例えば、一のユーザ識別子と対になる抽選対象商品識別子で識別される商品の関連商品を販売している店舗の店舗識別子を選択する。なお、かかる場合、２以上の関連商品を示す２以上の商品識別子のグループを管理しており、かつ、店舗識別子に対応付けて、当該店舗識別子で識別される店舗が販売している１以上の商品の１以上の店舗識別子を管理している、とする。
【００７５】
ポイント取得部１３６は、購入情報受付部１２２が受け付けた購入情報が有する購入金額を用いて、ポイントを取得する。ポイント取得部１３６は、例えば、購入金額をパラメータとする増加関数により、ポイントを算出する。
【００７６】
ポイント取得部１３６は、購入情報受付部１２２が受け付けた購入情報が有する購入金額と店舗情報とを用いて、ポイントを取得しても良い。ここで、「店舗情報とを用いて」とは、店舗の属性値により、ポイントが異なる意味である。例えば、ポイント取得部１３６は、店舗情報が有するフラグであり、加盟店であるか否かを示すフラグが加盟店であることを示す店舗で買い物をしたことを示す購入情報に対して、３倍のポイントを取得する。
【００７７】
ポイント蓄積部１３７は、ポイント取得部１３６が取得したポイントを、購入情報が有するユーザ識別子と対になるポイントに加算し、ユーザ情報格納部１１１に蓄積する。
【００７８】
購入処理部１３８は、購入指示受信部１２５が抽選商品低額購入指示を受信した場合に、抽選商品低額購入指示に対応する処理を行う。抽選商品低額購入指示に対応する処理とは、通常の料金より低い料金により、商品を購入するための処理である。商品を購入するための処理とは、例えば、決済処理、図示しない決済サーバに決済のための情報を送付する処理、対象となる商品の配送のための処理等である。
【００７９】
また、購入処理部１３８は、購入指示に対応するユーザ識別子と対になる落選回数または抽選回数（抽選実施回数と同意味）を用いて、通常の料金より低い料金により、商品を購入するための処理を行うことは好適である。つまり、購入処理部１３８は、購入指示に対応するユーザ識別子と対になる落選回数または抽選回数をパラメータとする減少関数により、商品の価格を算出し、当該価格にて、商品を購入するための処理を行うことは好適である。
【００８０】
抽選関連情報取得部１３９は、判断部１３３における判断の結果、または／および抽選処理部１３４における商品の抽選のための処理の結果を用いて、抽選関連情報を取得する。
【００８１】
抽選関連情報取得部１３９は、ユーザ登録商品情報格納部１１４に格納されている抽選関連情報を取得しても良い。また、抽選関連情報取得部１３９は、取得した抽選関連情報をユーザ登録商品情報格納部１１４に蓄積しても良いし、店舗装置３に送信しても良い。
【００８２】
送信部１４は、情報を端末装置２または店舗装置３等に送信する。ここで、情報とは、例えば、選択情報、販売促進情報、選択画面、抽選関連情報等である。
【００８３】
選択情報送信部１４１は、抽選対象商品識別子で識別される商品がユーザにより選択された旨の情報である選択情報を店舗装置３に送信する。
【００８４】
選択情報送信部１４１は、店舗選択部１３５が選択した１以上の店舗装置３に、選択情報を送信しても良い。
【００８５】
販売促進情報送信部１４２は、販売促進情報を、抽選対象商品識別子で識別される商品を選択したユーザに対応する端末装置２に送信する。販売促進情報は、店舗装置３から送信された情報である。販売促進情報は、商品の販売促進に関する情報である。
【００８６】
選択画面送信部１４３は、抽選の結果が当選である場合、新たな抽選対象商品を選択するための画面である選択画面を、端末装置２に送信する。受信部１２が抽選対象商品の選択画面の出力指示を受信した場合に、選択画面送信部１４３は、当該出力指示を送信した端末装置２に、選択画面を送信しても良い。ここで、選択画面は、格納部１１に格納されていても良いし、抽選対象商品情報格納部１１２の１以上の抽選対象商品情報から構成されても良い。なお、選択画面の構成は、選択画面送信部１４３が行っても良い。
【００８７】
抽選関連情報送信部１４４は、購入情報受付部１２２が受け付けた購入情報に含まれるカード識別子と対になる抽選関連情報を送信する。ここで、抽選関連情報は、通常、店舗装置３に送信される。
【００８８】
端末装置２を構成する端末格納部２０は、情報を格納し得る。情報は、例えば、ユーザ識別子である。
【００８９】
端末受付部２１は、ユーザから指示や情報等を受け付ける。指示とは、例えば、登録指示、抽選指示、購入指示等である。また、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００９０】
指示や情報等の入力手段は、キーボードやマウスやタッチパネルやメニュー画面によるもの等、何でも良い。端末受付部２１は、キーボード等の入力手段のデバイスドライバーや、メニュー画面の制御ソフトウェア等で実現され得る。
【００９１】
端末処理部２２は、端末装置２における各種の処理を行う。各種の処理とは、例えば、サーバ装置１に送信する情報や指示を構成する処理である。
【００９２】
端末送信部２３は、指示や情報等をサーバ装置１に送信する。端末送信部２３は、例えば、登録指示、抽選指示、購入指示等をサーバ装置１に送信する。
【００９３】
端末受信部２４は、サーバ装置１から情報を受信する。ここで、情報とは、例えば、抽選結果を示す情報、登録指示または購入指示を受け付けた旨の情報等である。また、情報とは、例えば、販売促進情報である。また、端末受信部２４は、店舗装置３から販売促進情報を受信しても良い。
【００９４】
端末出力部２５は、端末受信部２４が受信した情報を出力する。ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００９５】
店舗装置３を構成する店舗格納部３０は、情報を格納し得る。情報とは、例えば、販売促進情報である。販売促進情報は、商品を識別する商品識別子、または商品の種類を示す種類情報等と対応付いていることは好適である。
【００９６】
店舗受付部３１は、情報や指示等を受け付ける。情報は、例えば、購入情報、販売促進情報等である。購入情報は、例えば、クレジットカードを識別するカード識別子と購入金額を有する。なお、カード識別子は、ユーザ識別子である、と考えても良い。
【００９７】
購入情報の入力手段は、カードリーダー、キーボードやマウスやタッチパネルやメニュー画面によるもの等、何でも良い。店舗受付部３１は、キーボード等の入力手段のデバイスドライバーや、メニュー画面の制御ソフトウェア等で実現され得る。
【００９８】
店舗処理部３２は、各種の処理を行う。処理は、例えば、送信する購入情報を構成する処理、送信する販売促進情報を構成する処理等である。
【００９９】
店舗送信部３３は、サーバ装置１に、購入情報を送信する。店舗送信部３３は、サーバ装置１または端末装置２に、販売促進情報等を送信しても良い。
【０１００】
店舗受信部３４は、サーバ装置１から情報を受信する。ここで、情報は、例えば、購入情報が有するカード識別子を用いて取得された抽選関連情報である。
【０１０１】
店舗出力部３５は、店舗受信部３４が受信した情報等を出力する。ここで、情報は、例えば、抽選関連情報である。
【０１０２】
店舗出力部３５は、店舗受付部３１が購入情報を受け付けたことに応じて、抽選関連情報が印字されたレシートを印刷する。ここで、購入情報を受け付けたことに応じてとは、レシートの印刷のトリガーは、ユーザの指示等でも良い趣旨である。ただし、レシートの印刷は、購入情報を受け付けた後である。
【０１０３】
格納部１１、ユーザ情報格納部１１１、抽選対象商品情報格納部１１２、購入情報格納部１１３、ユーザ登録商品情報格納部１１４、端末格納部２０、店舗格納部３０は、不揮発性の記録媒体が好適であるが、揮発性の記録媒体でも実現可能である。格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【０１０４】
受信部１２、登録指示受信部１２１、購入情報受付部１２２、販売促進情報受信部１２３、抽選指示受信部１２４、購入指示受信部１２５、端末受信部２４、店舗受信部３４は、通常、無線または有線の通信手段で実現されるが、放送を受信する手段で実現されても良い。
【０１０５】
処理部１３、購入情報蓄積部１３１、抽選対象商品登録部１３２、判断部１３３、抽選処理部１３４、店舗選択部１３５、ポイント取得部１３６、ポイント蓄積部１３７、購入処理部１３８、抽選関連情報取得部１３９、端末処理部２２、店舗処理部３２は、通常、ＭＰＵやメモリ等から実現され得る。処理部１３等の処理手順は、通常、ソフトウェアで実現され、当該ソフトウェアはＲＯＭ等の記録媒体に記録されている。但し、ハードウェア（専用回路）で実現しても良い。
【０１０６】
送信部１４、選択情報送信部１４１、販売促進情報送信部１４２、選択画面送信部１４３、抽選関連情報送信部１４４、端末送信部２３、店舗送信部３３は、通常、無線または有線の通信手段で実現されるが、放送手段で実現されても良い。
【０１０７】
端末出力部２５、店舗出力部３５は、ディスプレイやスピーカー等の出力デバイスを含むと考えても含まないと考えても良い。端末出力部２５は、出力デバイスのドライバーソフトまたは、出力デバイスのドライバーソフトと出力デバイス等で実現され得る。
【０１０８】
次に、販促システムの動作について説明する。まず、サーバ装置１の動作について、図３のフローチャートを用いて説明する。
【０１０９】
（ステップＳ３０１）受信部１２は、抽選対象商品の選択画面の出力指示を端末装置２から受信したか否かを判断する。選択画面の出力指示を受信すればステップＳ３０２に行き、受信しなければステップＳ３０３に行く。
【０１１０】
（ステップＳ３０２）選択画面送信部１４３は、抽選対象商品情報格納部１１２から１以上の商品情報を取得し、当該１以上の商品情報を用いて、抽選対象商品の選択画面を構成し、当該の選択画面を端末装置２に送信する。ステップＳ３０１に戻る。
【０１１１】
（ステップＳ３０３）登録指示受信部１２１は、端末装置２から登録指示を受信したか否かを判断する。登録指示を受信すればステップＳ３０４に行き、登録指示を受信しなければステップＳ３０７に行く。
【０１１２】
（ステップＳ３０４）抽選対象商品登録部１３２は、ステップＳ３０３で受信された登録指示が有するユーザ識別子に対応付けて、当該登録指示が有する抽選対象商品識別子をユーザ登録商品情報格納部１１４に蓄積する。
【０１１３】
（ステップＳ３０５）店舗選択部１３５は、予め決められた条件を満たす１以上の店舗装置３を選択する。店舗選択部１３５は、登録されている、すべての店舗装置３を選択しても良い。
【０１１４】
（ステップＳ３０６）選択情報送信部１４１は、ステップＳ３０５で選択された１以上の店舗装置３に、選択情報を送信する。なお、選択情報は、抽選対象商品識別子で識別される商品がユーザにより選択された旨の情報であり、選択情報送信部１４１が、ステップＳ３０３で受信された登録指示に含まれる抽選対象商品識別子を用いて構成する情報である。ステップＳ３０１に戻る。
【０１１５】
（ステップＳ３０７）購入情報受付部１２２は、購入情報を受信したか否かを判断する。購入情報を受信すればステップＳ３０８に行き、購入情報を受信しなければステップＳ３１６に行く。
【０１１６】
（ステップＳ３０８）購入情報蓄積部１３１は、ステップＳ３０７で受信された購入情報を、購入情報格納部１１３に蓄積する。
【０１１７】
（ステップＳ３０９）ポイント取得部１３６は、購入情報受付部１２２が受け付けた購入情報が有する購入金額を用いて、ポイントを取得する。なお、ポイント取得部１３６は、店舗情報をも用いて（例えば、店舗の属性値に応じて、異なるポイントを算出する等）、ポイントを取得しても良い。また、ポイント取得部１３６は、購入金額を、そのままポイントとしても良い。
【０１１８】
（ステップＳ３１０）ポイント蓄積部１３７は、ステップＳ３０８で取得されたポイントを、ステップＳ３０７で受信された購入情報が有するユーザ識別子と対になるポイントに加算し、ユーザ情報格納部１１１に蓄積する。
【０１１９】
（ステップＳ３１１）判断部１３３は、ステップＳ３０７で受信された購入情報が有するユーザ識別子と対になる１以上の購入金額に関する情報が、当該ユーザ識別子と対になる抽選対象商品識別子で識別される商品の抽選のための条件である抽選条件に合致するか否かを判断する。
【０１２０】
（ステップＳ３１２）ステップＳ３１１における判断結果が、「合致する」との判断結果である場合はステップＳ３１３に行き、「合致しない」との判断結果である場合はステップＳ３１４に行く。
【０１２１】
（ステップＳ３１３）抽選処理部１３４は、ステップＳ３０７で受信された購入情報が有するユーザ識別子と対になる抽選可能回数に１を加算する。なお、抽選可能回数は、ユーザ識別子に対応付けて、ユーザ登録商品情報格納部１１４に格納されている。
【０１２２】
（ステップＳ３１４）抽選関連情報取得部１３９は、ステップＳ３０７で受信された購入情報が有するユーザ識別子（ここではカード識別子）と対になる抽選関連情報を、ユーザ登録商品情報格納部１１４から取得する。
【０１２３】
（ステップＳ３１５）抽選関連情報送信部１４４は、ステップＳ３１４で取得された抽選関連情報を、購入情報を送信してきた店舗装置３に送信する。ステップＳ３０１に戻る。
【０１２４】
（ステップＳ３１６）販売促進情報受信部１２３は、店舗装置３から販売促進情報を受信したか否かを判断する。販売促進情報を受信すればステップＳ３１７に行き、販売促進情報を受信しなければステップＳ３１８に行く。
【０１２５】
（ステップＳ３１７）販売促進情報送信部１４２は、ステップＳ３１６で受信された販売促進情報を、抽選対象商品識別子で識別される商品を選択したユーザに対応する端末装置２に送信する。ステップＳ３０１に戻る。
【０１２６】
（ステップＳ３１８）抽選指示受信部１２４は、抽選の実施の指示である抽選指示を端末装置２から受信したか否かを判断する。抽選指示を受信した場合はステップＳ３１９に行き、抽選指示を受信しなかった場合はステップＳ３２３に行く。
【０１２７】
（ステップＳ３１９）抽選処理部１３４は、抽選指示に対応する商品の抽選を実施する。なお、抽選処理部１３４は、抽選対象商品識別子と対応付けて管理されえいる抽選可能期間を取得し、当該抽選可能期間と、現在時刻または現在日とを用いて、現在時刻または現在日が抽選可能期間であるか否かを判断し、抽選可能期間であると判断した場合のみ、商品の抽選を実施しても良い。
【０１２８】
（ステップＳ３２０）抽選処理部１３４は、ステップＳ３１９における抽選の結果を構成する。そして、送信部１４は、ステップＳ３２０で構成された抽選結果を端末装置２に送信する。
【０１２９】
（ステップＳ３２１）選択画面送信部１４３は、ステップＳ３１９における抽選結果が「当選」か否かを判断する。「当選」である場合はステップＳ３２２に行き、「落選」である場合はステップＳ３０１に戻る。
【０１３０】
（ステップＳ３２２）選択画面送信部１４３は、選択画面を構成し、端末装置２に当該選択画面を送信する。ステップＳ３０１に戻る。
【０１３１】
（ステップＳ３２３）購入指示受信部１２５は、端末装置２から購入指示を受信したか否かを判断する。購入指示を受信すればステップＳ３２４に行き、購入指示を受信しなければステップＳ３０１に戻る。なお、購入指示は、通常の料金より低い料金により商品を購入する指示である抽選商品低額購入指示である場合もある。
【０１３２】
（ステップＳ３２４）購入処理部１３８は、ステップＳ３２３で受信された購入指示に対応する処理を行う。なお、購入処理部１３８は、購入指示に対応するユーザ識別子と対になる落選回数または抽選回数を取得し、当該落選回数または抽選回数を用いて、通常の料金より低い料金により、商品を購入するための処理を行っても良い。また、購入指示が抽選商品低額購入指示である場合、購入処理部１３８は、当該抽選商品低額購入指示に対応する低額な価格で、商品を購入するための処理を行っても良い。
【０１３３】
なお、図３のフローチャートにおいて、電源オフや処理終了の割り込みにより処理は終了する。
【０１３４】
次に、端末装置２の動作について、図４のフローチャートを用いて説明する。
【０１３５】
（ステップＳ４０１）端末受付部２１は、ユーザから選択画面の出力指示を受け付けたか否かを判断する。選択画面の出力指示を受け付ければステップＳ４０２に行き、選択画面の出力指示を受け付けなければステップＳ４０６に行く。
【０１３６】
（ステップＳ４０２）端末処理部２２は、端末格納部２０からユーザ識別子を読み出し、当該ユーザ識別子とステップＳ４０１で受け付けられた選択画面の出力指示から、送信する出力指示を構成する。そして、端末送信部２３は、構成された出力指示をサーバ装置１に送信する。
【０１３７】
（ステップＳ４０３）端末受信部２４は、サーバ装置１から選択画面を受信したか否かを判断する。選択画面を受信すればステップＳ４０４に行き、選択画面を受信しなければステップＳ４０５に行く。
【０１３８】
（ステップＳ４０４）端末出力部２５は、ステップＳ４０３で受信された選択画面を出力する。ステップＳ４０１に戻る。
【０１３９】
（ステップＳ４０５）タイムアウトか否かを判断する。タイムアウトであればステップＳ４０１に戻り、タイムアウトでなければステップＳ４０３に戻る。
【０１４０】
（ステップＳ４０６）端末受付部２１は、ユーザから登録指示を受け付けたか否かを判断する。登録指示を受け付ければステップＳ４０７に行き、登録指示を受け付けなければステップＳ４０８に行く。
【０１４１】
（ステップＳ４０７）端末処理部２２は、端末格納部２０からユーザ識別子を読み出し、当該ユーザ識別子とステップＳ４０６で受け付けられた登録指示から、送信する登録指示を構成する。そして、端末送信部２３は、構成された登録指示をサーバ装置１に送信する。ステップＳ４０１に戻る。
【０１４２】
（ステップＳ４０８）端末受付部２１は、ユーザから抽選指示を受け付けたか否かを判断する。抽選指示を受け付ければステップＳ４０９に行き、抽選指示を受け付けなければステップＳ４１２に行く。
【０１４３】
（ステップＳ４０９）端末処理部２２は、端末格納部２０からユーザ識別子を読み出し、当該ユーザ識別子とステップＳ４０８で受け付けられた抽選指示から、送信する抽選指示を構成する。そして、端末送信部２３は、構成された抽選指示をサーバ装置１に送信する。
【０１４４】
（ステップＳ４１０）端末受信部２４は、サーバ装置１から抽選結果を受信したか否かを判断する。抽選結果を受信すればステップＳ４１１に行き、抽選結果を受信しなければステップＳ４１０に戻る。
【０１４５】
（ステップＳ４１１）端末出力部２５は、ステップＳ４１０で受信された抽選結果を出力する。ステップＳ４０３に行く。
【０１４６】
（ステップＳ４１２）端末受付部２１は、ユーザから購入指示を受け付けたか否かを判断する。購入指示を受け付ければステップＳ４１３に行き、購入指示を受け付けなければステップＳ４０１に戻る。
【０１４７】
（ステップＳ４１３）端末処理部２２は、端末格納部２０からユーザ識別子を読み出し、当該ユーザ識別子とステップＳ４１２で受け付けられた購入指示から、送信する購入指示を構成する。そして、端末送信部２３は、構成された購入指示をサーバ装置１に送信する。ステップＳ４０１に戻る。
【０１４８】
なお、図４のフローチャートにおいて、電源オフや処理終了の割り込みにより処理は終了する。
【０１４９】
また、図４のフローチャートにおいて、端末受信部２４は、サーバ装置１または店舗装置３から販売促進情報を受信し、端末出力部２５は、受信された販売促進情報を出力しても良い。
【０１５０】
次に、店舗装置３の動作について、図５のフローチャートを用いて説明する。
【０１５１】
（ステップＳ５０１）店舗受付部３１は、購入情報を受け付けたか否かを判断する。購入情報を受け付ければステップＳ５０２に行き、購入情報を受け付けなければステップＳ５０６に行く。
【０１５２】
（ステップＳ５０２）店舗送信部３３は、サーバ装置１に、ステップＳ５０１で受け付けられた購入情報を送信する。なお、送信される購入情報は、ステップＳ５０１で受け付けられていない情報であり、例えば、店舗を識別する店舗識別子等を有していても良い。
【０１５３】
（ステップＳ５０３）店舗受信部３４は、サーバ装置１から抽選関連情報を受信したか否かを判断する。抽選関連情報を受信すればステップＳ５０４に行き、抽選関連情報を受信しなければステップＳ５０３に戻る。
【０１５４】
（ステップＳ５０４）店舗出力部３５は、ステップＳ５０３で受信された抽選関連情報を出力する。ここでの出力とは、例えば、ディスプレイへの表示である。
【０１５５】
（ステップＳ５０５）店舗出力部３５は、店舗受付部３１が購入情報を受け付けたことに応じて、ステップＳ５０３で受信された抽選関連情報が印字されたレシートを印刷する。ステップＳ５０１に戻る。
【０１５６】
（ステップＳ５０６）店舗受信部３４は、サーバ装置１から選択情報を受信したか否かを判断する。選択情報を受信すればステップＳ５０７に行き、選択情報を受信しなければステップＳ５０９に行く。
【０１５７】
（ステップＳ５０７）店舗出力部３５は、ステップＳ５０６で受信された選択情報を出力する。
【０１５８】
（ステップＳ５０８）店舗処理部３２は、ステップＳ５０６で受信された選択情報に対応する販売促進情報を店舗格納部３０から取得する。店舗処理部３２は、選択情報に含まれる商品識別子または種類情報に対応する販売促進情報を取得する。
【０１５９】
（ステップＳ５０９）店舗送信部３３は、ステップＳ５０８で取得された販売促進情報を、サーバ装置１または端末装置２に送信する。ステップＳ５０１に戻る。
【０１６０】
（ステップＳ５１０）店舗受付部３１は、販売促進情報を受け付けたか否かを判断する。販売促進情報を受け付ければステップＳ５１１に行き、販売促進情報を受け付けなければステップＳ５０１に戻る。
【０１６１】
（ステップＳ５１１）店舗処理部３２は、ステップＳ５１０で受け付けた販売促進情報を店舗格納部３０に蓄積する。
【０１６２】
なお、図５のフローチャートにおいて、電源オフや処理終了の割り込みにより処理は終了する。
【０１６３】
また、図５のフローチャートにおいて、店舗出力部３５が出力した選択情報を見た店舗の人が、販売促進情報を店舗装置３に入力し、店舗装置３の店舗受付部３１が当該販売促進情報を受け付け、店舗送信部３３が当該販売促進情報をサーバ装置１または端末装置２に送信しても良い。
【０１６４】
以下、本実施の形態における販促システムの具体的な動作について説明する。販促システムの概念図は図１である。
【０１６５】
今、ユーザ情報格納部１１１は、図６に示すユーザ情報管理表を保持している。ユーザ情報管理表は、「ＩＤ」「ユーザ識別子」「カード識別子」「ポイント」を有する１以上のレコードを管理している。「ＩＤ」はレコードを識別する情報である。なお、ここでは、ポイントは購入金額の総計である、とする。
【０１６６】
また、抽選対象商品情報格納部１１２は、図７に示す抽選対象商品情報管理表を保持している。抽選対象商品情報管理表は、「ＩＤ」「抽選対象商品識別子」「抽選条件」「店舗通知先情報」「期間情報」「商品情報」を有する１以上のレコードを管理している。「商品情報」は、「商品名」「価格」「画像」等を有する。また、「ＩＤ」はレコードを識別する情報である。「画像」は商品の画像である。なお、図７の「店舗通知先情報」は、店舗または店舗通知先情報を選択する条件（例えば、「商品の種類「洋服」を取り扱っている店舗」、「店舗の位置情報がユーザの住所と比較して、閾値以内の距離になる店舗」など）でも良い。
【０１６７】
また、購入情報格納部１１３は、図８に示す購入情報管理表を保持している。購入情報管理表は、「ＩＤ」「ユーザ識別子」「カード識別子」「商品識別子」「購入金額」を有する１以上のレコードを管理している。
【０１６８】
さらに、ユーザ登録商品情報格納部１１４は、図９に示すユーザ登録商品情報管理表を保持している。ユーザ登録商品情報管理表は、「ＩＤ」「ユーザ識別子」「抽選対象商品識別子」を有する１以上のレコードを管理している。
【０１６９】
かかる状況において、ユーザＡは、自分の端末装置２に、選択画面の出力指示を入力する。なお、選択画面の出力指示は、抽選対象商品を選択するための選択画面を取得する指示である。
【０１７０】
次に、端末装置２の端末受付部２１は、ユーザから選択画面の出力指示を受け付ける。そして、端末処理部２２は、端末格納部２０からユーザ識別子「Ａ」を読み出し、当該ユーザ識別子と受け付けられた選択画面の出力指示から、送信する出力指示（例えば、「出力指示  ユーザ識別子＝"Ａ"」）を構成する。そして、端末送信部２３は、構成された出力指示をサーバ装置１に送信する。
【０１７１】
次に、サーバ装置１の受信部１２は、抽選対象商品の選択画面の出力指示を端末装置２から受信する。そして、選択画面送信部１４３は、抽選対象商品情報管理表（図７参照）から１以上の商品情報を取得し、当該１以上の商品情報を用いて、抽選対象商品の選択画面を構成し、当該の選択画面を端末装置２に送信する。
【０１７２】
次に、端末装置２の端末受信部２４は、サーバ装置１から選択画面を受信する。そして、端末出力部２５は、受信された選択画面を出力する。選択画面の出力例は、図１０である。
【０１７３】
次に、ユーザは、図１０の選択画面から、商品「カメラＸ」（１００１）を選択した、とする。また、ユーザは、１００２の登録ボタンを押下した、とする。
【０１７４】
次に、端末受付部２１は、ユーザから登録指示を受け付ける。そして、端末処理部２２は、端末格納部２０からユーザ識別子「Ａ」を読み出し、当該ユーザ識別子と受け付けられた登録指示から、送信する登録指示（例えば、「登録指示  商品識別子＝"商品１"  ユーザ識別子＝"Ａ"」）を構成する。そして、端末送信部２３は、構成された登録指示をサーバ装置１に送信する。
【０１７５】
次に、サーバ装置１の登録指示受信部１２１は、端末装置２から登録指示を受信する。抽選対象商品登録部１３２は、受信された登録指示（例えば、「登録指示  商品識別子＝"商品１"  ユーザ識別子＝"Ａ"」）が有するユーザ識別子「Ａ」に対応付けて、当該登録指示が有する抽選対象商品識別子「商品１」をユーザ登録商品情報管理表（図９参照）に蓄積する。つまり、図９のユーザ登録商品情報管理表には、「ユーザ識別子：Ａ，抽選対象商品識別子：商品１」を有するレコードが蓄積される。
【０１７６】
次に、サーバ装置１の店舗選択部１３５は、予め決められた条件を満たす１以上の店舗装置３を選択する。ここで、予め決められた条件は、抽選対象商品識別子と対応付けて管理されている店舗であることである。つまり、店舗選択部１３５は、抽選対象商品識別子「商品１」と対応付けて管理されている店舗通知先情報「店舗Ｘ」を取得する。
【０１７７】
次に、選択情報送信部１４１は、抽選対象商品識別子「商品１」を用いて、選択情報を構成する。選択情報は、例えば、「「商品１」がユーザにより選択されました。」である。そして、選択情報送信部１４１は、選択された店舗装置３（店舗通知先情報「店舗Ｘ」で識別される店舗の装置）に、店舗通知先情報「店舗Ｘ」を用いて、選択情報を送信する。
【０１７８】
次に、店舗Ｘの店舗装置３の店舗受信部３４は、サーバ装置１から選択情報「「商品１」がユーザにより選択されました。」を受信する。そして、店舗出力部３５は、受信された選択情報を出力する。
【０１７９】
次に、店舗Ｘの店舗装置３の店舗処理部３２は、受信された選択情報を構成する抽選対象商品識別子「商品１」に対応する販売促進情報（例えば、「商品１は、現在、半額！」を店舗格納部３０から取得する。なお、店舗格納部３０には、商品識別子または商品の種類識別子と対応付けて、販売促進情報が格納されている、とする。つまり、店舗格納部３０は、商品識別子または商品の種類識別子と販売促進情報との組を、１または２以上、格納している。
【０１８０】
次に、店舗送信部３３は、取得された販売促進情報「商品１は、現在、半額！」を、サーバ装置１に送信する。
【０１８１】
次に、サーバ装置１の販売促進情報受信部１２３は、店舗Ｘの店舗装置３から販売促進情報「商品１は、現在、半額！」を受信する。
【０１８２】
次に、販売促進情報送信部１４２は、受信された販売促進情報を、抽選対象商品識別子「商品１」で識別される商品を選択したユーザＡに対応する端末装置２に送信する。
【０１８３】
次に、端末装置２の端末受信部２４は、サーバ装置１から販売促進情報「商品１は、現在、半額！」を受信する。次に、端末出力部２５は、受信された販売促進情報「商品１は、現在、半額！」を出力する。
【０１８４】
次に、ユーザＡは、クレジットカード「１２３４０００１１００３５４３２」を用いて、商品識別子「商品Ｐ１」で識別される商品を「５０００円」で購入した、とする。
【０１８５】
次に、商品Ｐ１を販売する店舗装置３の店舗受付部３１は、購入情報を受け付ける。購入情報は、カード識別子「１２３４０００１１００３５４３２」、商品識別子「商品Ｐ１」、購入金額「５０００円」を含む。
【０１８６】
次に、店舗送信部３３は、サーバ装置１に、受け付けられた購入情報を送信する。
【０１８７】
次に、サーバ装置１の購入情報受付部１２２は、購入情報を受信する。
【０１８８】
次に、購入情報蓄積部１３１は、受信された購入情報を、購入情報管理表（図８）に蓄積する。なお、蓄積された購入情報は、図８の「ＩＤ＝１」のレコードである。
【０１８９】
次に、ポイント取得部１３６は、購入情報受付部１２２が受け付けた購入情報が有する購入金額「５０００円」を用いて、ポイント「５０００円」を取得する。なお、ここでは、ポイントと購入金額は同じである、とする。
【０１９０】
次に、ポイント蓄積部１３７は、取得されたポイント「５０００円」を、受信された購入情報が有するユーザ識別子「Ａ」と対になるポイントに加算し、ユーザ情報格納部１１１に蓄積する。なお、ここでは、ユーザＡの元のポイントが「２３０」であり、加算結果は「５２３０」である、とする。
【０１９１】
次に、判断部１３３は、受信された購入情報が有するユーザ識別子「Ａ」と対になる１以上の購入金額に関する情報「５２３０」が、当該ユーザ識別子と対になる抽選対象商品識別子「商品１」で識別される抽選条件「１００００円」（図７参照）を満足しない、と判断する。また、ここでは、判断部１３３は、抽選までに必要な条件（ここでは、「１００００円−５２３０円＝４７７０円」）を取得する、とする。
【０１９２】
次に、抽選関連情報取得部１３９は、購入情報が有するユーザ識別子「Ａ」と対になる抽選関連情報を、ユーザ登録商品情報格納部１１４から取得する。なお、抽選関連情報は、ここでは、判断部１３３における判断結果を用いて構成された抽選関連情報「まだ、抽選できません。現在のポイントは「５２３０」です。あと、４７７０円を購入すれば、登録商品「商品１」の抽選が可能です。」を取得する。
【０１９３】
次に、抽選関連情報送信部１４４は、取得された抽選関連情報「まだ、抽選できません。現在のポイントは「５２３０」です。あと、４７７０円を購入すれば、登録商品「商品１」の抽選が可能です。」を、購入情報を送信してきた店舗装置３に送信する。
【０１９４】
次に、店舗装置３の店舗受信部３４は、サーバ装置１から抽選関連情報「まだ、抽選できません。現在のポイントは「５２３０」です。あと、４７７０円を購入すれば、登録商品「商品１」の抽選が可能です。」を受信する。次に、店舗出力部３５は、受信された当該抽選関連情報を出力する。
【０１９５】
次に、店舗出力部３５は、店舗受付部３１が購入情報を受け付けたことに応じて、受信された抽選関連情報「まだ、抽選できません。現在のポイントは「５２３０」です。あと、４７７０円を購入すれば、登録商品「商品１」の抽選が可能です。」が印字されたレシートを印刷する。レシートの例は、図１１である。
【０１９６】
次に、ユーザＡは、抽選したいと思い、クレジットカード「１２３４０００１１００３５４３２」を用いて、さらに、商品識別子「商品Ｐ２」で識別される商品を「８０００円」で購入した、とする。
【０１９７】
次に、商品Ｐ２を販売する店舗装置３の店舗受付部３１は、購入情報を受け付ける。購入情報は、カード識別子「１２３４０００１１００３５４３２」、商品識別子「商品Ｐ２」、購入金額「８０００円」を含む。
【０１９８】
次に、店舗送信部３３は、サーバ装置１に、受け付けられた購入情報を送信する。
【０１９９】
次に、サーバ装置１の購入情報受付部１２２は、購入情報を受信する。
【０２００】
次に、購入情報蓄積部１３１は、受信された購入情報を、購入情報管理表（図８）に蓄積する。なお、蓄積された購入情報は、図８の「ＩＤ＝２」のレコードである。
【０２０１】
次に、ポイント取得部１３６は、購入情報受付部１２２が受け付けた購入情報が有する購入金額「８０００円」を用いて、ポイント「８０００」を取得する。なお、ここでは、ポイントと購入金額は同じである、とする。
【０２０２】
次に、ポイント蓄積部１３７は、取得されたポイント「８０００」を、受信された購入情報が有するユーザ識別子「Ａ」と対になるポイントに加算し、ユーザ情報格納部１１１に蓄積する。なお、ここでは、ユーザＡの元のポイントが「５２３０」であり、加算結果は「１３２３０」である、とする。
【０２０３】
次に、判断部１３３は、受信された購入情報が有するユーザ識別子「Ａ」と対になる１以上の購入金額に関する情報「１３２３０」が、当該ユーザ識別子と対になる抽選対象商品識別子「商品１」で識別される抽選条件「１００００円」（図７参照）を満足する、と判断する。
【０２０４】
次に、抽選関連情報取得部１３９は、購入情報が有するユーザ識別子「Ａ」と対になる抽選関連情報を、ユーザ登録商品情報格納部１１４から取得する。なお、抽選関連情報は、ここでは、判断部１３３における判断結果を用いて、抽選関連情報「抽選が１回可能です。また、現在のポイントは「１３２３０」です。」を取得する。
【０２０５】
次に、抽選関連情報送信部１４４は、取得された抽選関連情報「抽選が１回可能です。また、現在のポイントは「１３２３０」です。」を、購入情報を送信してきた店舗装置３に送信する。
【０２０６】
次に、店舗装置３の店舗受信部３４は、サーバ装置１から抽選関連情報「抽選が１回可能です。また、現在のポイントは「１３２３０」です。」を受信する。次に、店舗出力部３５は、受信された抽選関連情報を出力する。
【０２０７】
次に、店舗出力部３５は、店舗受付部３１が購入情報を受け付けたことに応じて、受信された抽選関連情報が印字されたレシートを印刷する。レシートの例は、図１２である。
【０２０８】
次に、ユーザＡは、「商品１」の抽選指示を端末装置２に入力する。すると、端末受付部２１は、ユーザから抽選指示を受け付ける。
【０２０９】
次に、端末処理部２２は、端末格納部２０からユーザ識別子「Ａ」を読み出し、当該ユーザ識別子と受け付けられた抽選指示から、送信する抽選指示（例えば、「抽選指示  商品識別子＝"商品１"，ユーザ識別子＝"Ａ"」）を構成する。そして、端末送信部２３は、当該抽選指示をサーバ装置１に送信する。
【０２１０】
次に、サーバ装置１の抽選指示受信部１２４は、抽選指示「抽選指示  商品識別子＝"商品１"，ユーザ識別子＝"Ａ"」を端末装置２から受信する。
【０２１１】
次に、抽選処理部１３４は、抽選指示「抽選指示  商品識別子＝"商品１"，ユーザ識別子＝"Ａ"」に対応する商品の抽選を実施する。そして、抽選処理部１３４は、抽選の結果（ここでは、例えば、「当選」）を構成する。そして、送信部１４は、抽選結果「当選」を端末装置２に送信する。
【０２１２】
また、選択画面送信部１４３は、抽選結果が「当選」であると判断し、選択画面送信部１４３は、選択画面（例えば、図１０）を構成し、端末装置２に当該選択画面を送信する。
【０２１３】
次に、端末受信部２４は、サーバ装置１から選択画面を受信する。そして、端末出力部２５は、受信された選択画面を出力する。
【０２１４】
なお、特に、抽選結果が「落選」であった場合、ユーザＡは、端末装置２に商品「商品１」の購入指示を入力するかもしれない。かかる場合、端末受付部２１は、ユーザから購入指示を受け付ける。そして、端末処理部２２は、端末格納部２０からユーザ識別子「Ａ」を読み出し、当該ユーザ識別子と受け付けられた購入指示から、送信する購入指示（例えば、「購入指示  商品識別子＝"商品１"，ユーザ識別子＝"Ａ"」）を構成する。そして、端末送信部２３は、構成された購入指示をサーバ装置１に送信する。
【０２１５】
次に、サーバ装置１の購入指示受信部１２５は、端末装置２から購入指示を受信する。そして、購入処理部１３８は、受信された購入指示に対応する処理を行う。なお、購入処理部１３８は、購入指示に対応するユーザ識別子と対になる落選回数または抽選回数（抽選実施回数と同意味）を用いて、通常の料金より低い料金により、商品を購入するための処理を行っても良い。例えば、購入処理部１３８は、「商品情報が有する価格（例えば、「２００００円」）×（１−落選回数×０．１）」により購入価格を算出し、当該購入価格を用いて、購入決裁を行っても良い。
【０２１６】
以上、本実施の形態によれば、ユーザが欲しい商品を適切に入手できるとともに、消費を促進できる仕組みを提供できる。つまり、ユーザは欲しい商品を抽選対象の商品として登録し、登録した商品を抽選により入手できる可能性があることにより、消費を促進できる。
【０２１７】
また、抽選結果が落選であっても、落選回数や抽選回数により、低額で商品を購入できることにより、消費を促進するとともに、ユーザが欲しい商品を適切に入手できる。
【０２１８】
また、本実施の形態によれば、店舗装置３に選択情報を送信することにより、店舗にとって、効果的な宣伝広告が可能となる。
【０２１９】
また、本実施の形態によれば、当選時に、新たな抽選対象商品選択画面が自動的に端末装置２に送信されることにより、ユーザが容易に抽選対象商品を登録できる。
【０２２０】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるサーバ装置１を実現するソフトウェアは、以下のようなプログラムである。つまり、このプログラムは、コンピュータがアクセス可能な記録媒体は、抽選対象の商品に関する情報であり、抽選対象の商品を識別する抽選対象商品識別子を有する１以上の抽選対象商品情報を格納し得る抽選対象商品情報格納部と、ユーザ識別子と、当該ユーザが選択した抽選対象の商品の抽選対象商品識別子とを有する１以上のユーザ登録商品情報を格納し得るユーザ登録商品情報格納部とを具備し、コンピュータを、抽選対象の商品を登録する指示であり、抽選対象商品識別子とユーザ識別子とを有する指示である登録指示を端末装置から受信する登録指示受信部と、前記登録指示が有するユーザ識別子に対応付けて、前記登録指示が有する抽選対象商品識別子を前記ユーザ登録商品情報格納部に蓄積する抽選対象商品登録部と、商品の購入に関する情報であり、購入金額とユーザ識別子とを有する１以上の購入情報を受け付ける購入情報受付部と、前記１以上の購入情報が有する１以上の購入金額に関する情報であり、一のユーザ識別子と対になる１以上の購入金額に関する情報が、前記一のユーザ識別子と対になる抽選対象商品識別子で識別される商品の抽選のための条件である抽選条件に合致するか否かを判断する判断部と、前記判断部が前記抽選条件に合致すると判断した場合に、前記抽選対象商品識別子で識別される商品の抽選のための処理を行う抽選処理部として機能させるためのプログラム、である。
【０２２１】
また、上記プログラムにおいて、コンピュータを、前記抽選対象商品識別子で識別される商品がユーザにより選択された旨の情報である選択情報を店舗装置に送信する選択情報送信部と、
前記選択情報の送信に応じて、前記抽選対象商品識別子で識別される商品の販売促進に関する情報である販売促進情報を、前記店舗装置から受信する販売促進情報受信部と、
前記販売促進情報を、前記抽選対象商品識別子で識別される商品を選択したユーザに対応する端末装置に送信する販売促進情報送信部
として、さらに機能させるプログラムであることは好適である。
【０２２２】
また、上記プログラムにおいて、コンピュータを、予め決められた条件を満たす１以上の店舗装置を選択する店舗選択部としてさらに機能させ、
前記選択情報送信部は、
前記店舗選択部が選択した１以上の店舗装置に、前記選択情報を送信する
ものとして、コンピュータを機能させるプログラムであることは好適である。
【０２２３】
また、上記プログラムにおいて、前記店舗選択部は、
前記一のユーザ識別子を有する１以上の購入情報に関する条件を用いて、当該条件を満たす１以上の店舗装置を選択する
ものとして、コンピュータを機能させるプログラムであることは好適である。
【０２２４】
また、上記プログラムにおいて、前記店舗選択部は、
前記一のユーザ識別子と対になる抽選対象商品識別子で識別される商品に関する商品情報に関する条件を用いて、当該条件を満たす１以上の店舗装置を選択する
ものとして、コンピュータを機能させるプログラムであることは好適である。
【０２２５】
また、上記プログラムにおいて、前記購入情報は、
商品を購入した店舗に関する店舗情報を有し、
記録媒体は、
購入金額を用いて取得されるポイントとユーザ識別子とを有する１以上のユーザ情報を格納し得るユーザ情報格納部をさらに具備し、
コンピュータを、
前記購入情報受付部が受け付けた購入情報が有する購入金額と店舗情報とを用いて、ポイントを取得するポイント取得部と、
前記ポイント取得部が取得したポイントを、前記購入情報が有するユーザ識別子と対になるポイントに加算し、前記ユーザ情報格納部に蓄積するポイント蓄積部として、さらに機能させ、
前記判断部は、
前記一のユーザ識別子と対になるポイントが、前記一のユーザ識別子と対になる抽選対象商品識別子で識別される商品の抽選のための条件である抽選条件に合致するか否かを判断する
ものとして、コンピュータを機能させるプログラムであることは好適である。
【０２２６】
また、上記プログラムにおいて、コンピュータを、抽選の実施の指示である抽選指示を端末装置から受信する抽選指示受信部としてさらに機能させ、
前記抽選処理部は、
前記抽選指示の受信に応じて、前記抽選指示に対応する抽選対象商品識別子で識別される商品の抽選を行うものとして、コンピュータを機能させ、
コンピュータを、前記抽選の結果が当選である場合、新たな抽選対象商品を選択するための画面である選択画面を、前記端末装置に送信する選択画面送信部としてさらに機能させるプログラムであることは好適である。
【０２２７】
また、上記プログラムにおいて、前記ユーザ登録商品情報は、
抽選に必要な利用金額である必要金額と、商品の抽選のための処理を行った回数である抽選回数または商品の抽選のための処理の結果が落選であった回数である落選回数とを有し、
前記抽選処理部は、
商品の抽選のための処理を行った際に前記抽選回数に１を加え、または商品の抽選のための処理を行った際であり、落選であった場合に前記落選回数に１を加え、
前記抽選回数または前記落選回数が予め決められた条件を満たすほど多い場合、前記必要金額を減額する処理を行う
ものとして、コンピュータを機能させるプログラムであることは好適である。
【０２２８】
また、上記プログラムにおいて、前記ユーザ登録商品情報は、
商品の抽選のための処理を行った回数である抽選回数、または商品の抽選のための処理の結果が落選であった回数である落選回数を有し、
前記抽選回数または前記落選回数が予め決められた条件を満たすほど多い場合、前記抽選対象商品識別子で識別される商品の購入の指示であり、通常の金額より低い金額で購入できる指示である抽選商品低額購入指示を、前記端末装置から受信する購入指示受信部と、
前記購入指示受信部が前記抽選商品低額購入指示を受信した場合に、当該抽選商品低額購入指示に対応する処理を行う購入処理部として、コンピュータをさらに機能させるプログラムであることは好適である。
【０２２９】
また、上記プログラムにおいて、前記抽選対象商品情報は、
抽選可能な期間に関する情報である期間情報を有し、
前記抽選処理部は、
前記抽選対象商品識別子と対になる期間情報が示す抽選可能な期間から、現在時点が外れている場合、前記抽選対象商品識別子で識別される商品の抽選のための処理を行わない
ものとして、コンピュータを機能させるプログラムであることは好適である。
【０２３０】
また、上記プログラムにおいて、記録媒体は、
１以上の購入情報を格納し得る購入情報格納部をさらに具備し、前記購入情報受付部が受け付けた１以上の購入情報を、前記購入情報格納部に蓄積する購入情報蓄積部として、コンピュータをさらに機能させるプログラムであることは好適である。
【０２３１】
さらに、本実施の形態における店舗装置３を実現するソフトウェアは、以下のようなプログラムである。つまり、このプログラムは、コンピュータがアクセス可能な記録媒体は、
サーバ装置のユーザ登録商品情報は、抽選可能な回数である回数情報、または抽選を行うまでに必要なポイントまたは金額に関する必要ポイント情報である抽選関連情報を有し、
サーバ装置の抽選処理部は、前記判断部における判断の結果、または／および前記抽選処理部における商品の抽選のための処理の結果を用いて、抽選関連情報を取得し、前記ユーザ登録商品情報格納部に蓄積し、サーバ装置は、購入情報受付部が受け付けた購入情報に含まれるカード識別子と対になる抽選関連情報を、前記ユーザ登録商品情報格納部から取得する抽選関連情報取得部と、前記抽選関連情報取得部が取得した抽選関連情報を送信する抽選関連情報送信部とをさらに具備し、サーバ装置と通信を行う店舗装置におけるプログラムであって、クレジットカードを識別するカード識別子と購入金額を有する購入情報を受け付ける店舗受付部と、サーバ装置に、前記購入情報を送信する店舗送信部と、前記サーバ装置から、前記購入情報が有するカード識別子を用いて取得された抽選関連情報を受信する店舗受信部と、前記抽選関連情報を出力する店舗出力部として、コンピュータを機能させるためのプログラムである。
【０２３２】
また、図１３は、本明細書で述べたプログラムを実行して、上述した種々の実施の形態のサーバ装置１等を実現するコンピュータの外観を示す。上述の実施の形態は、コンピュータハードウェア及びその上で実行されるコンピュータプログラムで実現され得る。図１３は、このコンピュータシステム３００の概観図であり、図１４は、システム３００のブロック図である。
【０２３３】
図１３において、コンピュータシステム３００は、ＣＤ−ＲＯＭドライブを含むコンピュータ３０１と、キーボード３０２と、マウス３０３と、モニタ３０４とを含む。
【０２３４】
図１４において、コンピュータ３０１は、ＣＤ−ＲＯＭドライブ３０１２に加えて、ＭＰＵ３０１３と、バス３０１４と、ＲＯＭ３０１５と、ＲＡＭ３０１６と、ハードディスク３０１７とを含む。なお、バス３０１４は、ＭＰＵ３０１３やＣＤ−ＲＯＭドライブ３０１２に接続されている。また、ＲＯＭ３０１５には、ブートアッププログラム等のプログラムが記憶されている。また、ＲＡＭ３０１６は、ＭＰＵ３０１３に接続され、アプリケーションプログラムの命令を一時的に記憶するとともに一時記憶空間を提供するためのものである。また、ハードディスク３０１７は、アプリケーションプログラム、システムプログラム、及びデータを記憶するためのものである。ここでは、図示しないが、コンピュータ３０１は、さらに、ＬＡＮへの接続を提供するネットワークカードを含んでも良い。
【０２３５】
コンピュータシステム３００に、上述した実施の形態のサーバ装置の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０２３６】
プログラムは、コンピュータ３０１に、上述した実施の形態のサーバ装置の機能を実行させるオペレーティングシステム、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０２３７】
なお、上記プログラムにおいて、情報を送信するステップや、情報を受信するステップなどでは、ハードウェアによって行われる処理、例えば、送信するステップにおけるモデムやインターフェースカードなどで行われる処理（ハードウェアでしか行われない処理）は含まれない。
【０２３８】
また、上記プログラムを実行するコンピュータは、単数であってもよく、複数であってもよい。すなわち、集中処理を行ってもよく、あるいは分散処理を行ってもよい。
【０２３９】
また、上記各実施の形態において、一の装置に存在する２以上の通信手段は、物理的に一の媒体で実現されても良いことは言うまでもない。
【０２４０】
また、上記各実施の形態において、各処理（各機能）は、単一の装置（システム）によって集中処理されることによって実現されてもよく、あるいは、複数の装置によって分散処理されることによって実現されてもよい。
【０２４１】
本発明は、以上の実施の形態に限定されることなく、種々の変更が可能であり、それらも本発明の範囲内に包含されるものであることは言うまでもない。
【産業上の利用可能性】
【０２４２】
以上のように、本発明にかかるサーバ装置は、ユーザが欲しい商品を適切に入手できるとともに、消費を促進できる仕組みを提供できる、という効果を有し、サーバ装置等として有用である。
【符号の説明】
【０２４３】
１  サーバ装置
２  端末装置
３  店舗装置
１１  格納部
１２  受信部
１３  処理部
１４  送信部
２０  端末格納部
２１  端末受付部
２２  端末処理部
２３  端末送信部
２４  端末受信部
２５  端末出力部
３０  店舗格納部
３１  店舗受付部
３２  店舗処理部
３３  店舗送信部
３４  店舗受信部
３５  店舗出力部
１１１  ユーザ情報格納部
１１２  抽選対象商品情報格納部
１１３  購入情報格納部
１１４  ユーザ登録商品情報格納部
１２１  登録指示受信部
１２２  購入情報受付部
１２３  販売促進情報受信部
１２４  抽選指示受信部
１２５  購入指示受信部
１３１  購入情報蓄積部
１３２  抽選対象商品登録部
１３３  判断部
１３４  抽選処理部
１３５  店舗選択部
１３６  ポイント取得部
１３７  ポイント蓄積部
１３８  購入処理部
１３９  抽選関連情報取得部
１４１  選択情報送信部
１４２  販売促進情報送信部
１４３  選択画面送信部
１４４  抽選関連情報送信部
【図１】
2015191386.tif 000003
【図２】
2015191386.tif 000004
【図３】
2015191386.tif 000005
【図４】
2015191386.tif 000006
【図５】
2015191386.tif 000007
【図６】
2015191386.tif 000008
【図７】
2015191386.tif 000009
【図８】
2015191386.tif 000010
【図９】
2015191386.tif 000011
【図１０】
2015191386.tif 000012
【図１１】
2015191386.tif 000013
【図１２】
2015191386.tif 000014
【図１３】
2015191386.tif 000015
【図１４】
2015191386.tif 000016